(57)【要約】【課題】角膜形状に応じて眼内部位の位置等を高精度に求めるための新たな技術を提供する。【解決手段】眼科装置は、ＯＣＴ計測部と、角膜形状測定部と、眼球モデル生成部と、部位特定部とを含む。ＯＣＴ計測部は、測定光を光スキャナーにより偏向して被検眼に投射し、被検眼からの測定光の戻り光と参照光との干渉光を検出することにより被検眼のデータを収集する。角膜形状測定部は、被検眼の角膜に対して投射した測定パターンの戻り光を検出することにより角膜における曲率半径分布を求める。眼球モデル生成部は、角膜における曲率半径分布を用いて眼球モデルを生成する。部位特定部は、角膜における複数の入射位置のそれぞれに入射する測定光をスキャン角度と眼球モデルとに基づいて光線追跡することにより測定光の進行方向を特定し、当該測定光により収集されたデータに基づいて進行方向における被検眼の眼内部位に対応する位置を特定する。【選択図】図４
2020048695.tif 000002
【特許請求の範囲】
【請求項１】
光スキャナーを含み、光源からの光を参照光と測定光とに分割し、前記測定光を前記光スキャナーにより偏向して被検眼に投射し、前記被検眼からの前記測定光の戻り光と前記参照光との干渉光を検出することにより被検眼のデータを収集するＯＣＴ計測部と、
前記被検眼の角膜に対して測定パターンを投射し、その戻り光を検出し、検出された前記戻り光の像に基づいて前記角膜における曲率半径分布を求める角膜形状測定部と、
前記角膜における曲率半径分布を用いて眼球モデルを生成する眼球モデル生成部と、
前記角膜における複数の入射位置のそれぞれに入射する測定光を前記光スキャナーによるスキャン角度と前記眼球モデルとに基づいて光線追跡することにより前記測定光の進行方向を特定し、当該測定光により収集されたデータに基づいて前記進行方向における前記被検眼の眼内部位に対応する位置を特定する部位特定部と、
を含む眼科装置。
【請求項２】
前記角膜形状測定部は、前記角膜に対して同心円状の複数のリング状光束を投射する
ことを特徴とする請求項１に記載の眼科装置。
【請求項３】
前記被検眼に対して光を投射し、その戻り光を検出し、検出された戻り光の像に基づいて前記被検眼の眼屈折力を求める眼屈折力測定部と、
前記ＯＣＴ計測部により収集された前記データに基づいて前記被検眼の眼軸長を求める眼内距離算出部と、
を含み、
前記部位特定部は、眼の光学特性を表す標準値データと、前記眼屈折力と、前記眼軸長とに基づいて、前記眼内部位の形状を特定する
ことを特徴とする請求項１又は請求項２に記載の眼科装置。
【請求項４】
前記眼球モデル生成部は、前記ＯＣＴ計測部により収集された前記被検眼のデータに基づいて、前記被検眼の一部又は全体のサイズを表すサイズパラメータ、前記被検眼の部位の形状を表す形状パラメータ、及び前記被検眼の部位の光学的機能を表す光学的パラメータのうち少なくとも１つを含むパラメータを求め、前記パラメータと、前記標準値データと、前記眼屈折力と、前記眼軸長と、前記曲率半径分布とに基づいて前記眼球モデルを生成する
ことを特徴とする請求項３に記載の眼科装置。
【請求項５】
前記眼内部位は、網膜である
ことを特徴とする請求項１〜請求項４のいずれか一項に記載の眼科装置。
【請求項６】
被検眼に対して光コヒーレンストモグラフィを実行することにより収集されたデータに基づいて少なくとも前記被検眼の眼内部位の位置を特定する眼科情報処理装置であって、
前記被検眼の角膜における曲率半径分布を用いて眼球モデルを生成する眼球モデル生成部と、
前記角膜における複数の入射位置のそれぞれに入射する測定光を前記測定光を偏向する光スキャナーのスキャン角度と前記眼球モデルとに基づいて光線追跡することにより前記測定光の進行方向を特定し、当該測定光により収集されたデータに基づいて前記進行方向における前記眼内部位に対応する位置を特定する部位特定部と、
を含む眼科情報処理装置。
【請求項７】
前記部位特定部は、眼の光学特性を表す標準値データと、前記被検眼の眼屈折力と、前記被検眼の眼軸長とに基づいて、前記眼内部位の形状を特定する
ことを特徴とする請求項６に記載の眼科情報処理装置。
【請求項８】
前記眼球モデル生成部は、前記収集されたデータに基づいて、前記被検眼の一部又は全体のサイズを表すサイズパラメータ、前記被検眼の部位の形状を表す形状パラメータ、及び前記被検眼の部位の光学的機能を表す光学的パラメータのうち少なくとも１つを含むパラメータを求め、前記パラメータと、前記標準値データと、前記眼屈折力と、前記眼軸長と、前記曲率半径分布とに基づいて前記眼球モデルを生成する
ことを特徴とする請求項７に記載の眼科情報処理装置。
【請求項９】
前記眼内部位は、網膜である
ことを特徴とする請求項６〜請求項８のいずれか一項に記載の眼科情報処理装置。
【請求項１０】
被検眼に対して光コヒーレンストモグラフィを実行することにより収集されたデータに基づいて前記被検眼の眼内部位の形状を特定する眼科情報処理方法であって、
前記被検眼の角膜における曲率半径分布を用いて眼球モデルを生成する眼球モデル生成ステップと、
前記角膜における複数の入射位置のそれぞれに入射する測定光を前記測定光を偏向する光スキャナーのスキャン角度と前記眼球モデルとに基づいて光線追跡することにより前記測定光の進行方向を特定し、当該測定光により収集されたデータに基づいて前記進行方向における前記眼内部位に対応する位置を特定する部位特定ステップと、
を含む眼科情報処理方法。
【請求項１１】
前記部位特定ステップは、眼の光学特性を表す標準値データと、前記被検眼の眼屈折力と、前記被検眼の眼軸長とに基づいて、前記眼内部位の形状を特定する
ことを特徴とする請求項１０に記載の眼科情報処理方法。
【発明の詳細な説明】
【技術分野】
【０００１】
この発明は、眼科情報処理装置、眼科装置、及び眼科情報処理方法に関する。
【背景技術】
【０００２】
近年、レーザー光源等からの光ビームを用いて被測定物体の形態を測定したり画像化したりする光コヒーレンストモグラフィ（Ｏｐｔｉｃａｌ  Ｃｏｈｅｒｅｎｃｅ  Ｔｏｍｏｇｒａｐｈｙ：ＯＣＴ）が注目を集めている。ＯＣＴは、Ｘ線ＣＴ（Ｃｏｍｐｕｔｅｄ  Ｔｏｍｏｇｒａｐｈｙ）のような人体に対する侵襲性を持たないことから、特に医療分野や生物学分野における応用の展開が期待されている。例えば、眼科分野においては、眼底や角膜等の画像を形成する装置が実用化されている。
【０００３】
このようなＯＣＴを用いた装置（ＯＣＴ装置）は被検眼の様々な部位（眼底や前眼部）の計測や観察に適用可能である。また、高精細な画像を取得できることから、様々な眼科疾患の診断に応用されている。
【０００４】
ＯＣＴ装置は、近視の診断への応用についても期待されている。近視は、眼球に入射した光線が網膜よりも前方に焦点を結ぶ屈折異常である。近視の中には、眼鏡等で矯正しても正常な視力を得ることが難しいと考えられている病的近視がある。病的近視では、眼軸が長く、眼球後部が変形して網膜や視神経に様々な病的変化が生じている。ＯＣＴ装置を用いて眼球の形状を観察することで、病的近視への進行の予防に寄与することが期待されている。
【０００５】
例えば、特許文献１には、被検眼の断層像における光学的な距離とスキャンミラーによる光線の入射角度を考慮した補正を行うことにより、当該断層像から得られる眼底（網膜）の形状から実際の眼球の形状を求める手法が開示されている。
【先行技術文献】
【特許文献】
【０００６】
【特許文献１】特許第５７９４６６４号公報
【発明の概要】
【発明が解決しようとする課題】
【０００７】
しかしながら、従来の手法では、被検眼の角膜の前面が角膜頂点に対して対称であることを前提に眼球の形状が求められる。それにより、角膜の前面が角膜頂点に対して非対称である角膜疾患（例えば、円錐角膜、不正乱視）が考慮されない。従って、得られた断層像から眼底（網膜、広義には眼内部位）の形状に異常があると判断された場合であっても、角膜に原因があるのか、真に網膜に原因があるのかを判断することが不可能である。
【０００８】
本発明は、このような事情を鑑みてなされたものであり、その目的は、角膜の形状に応じて眼内部位の位置や形状を高精度に求めるための新たな技術を提供することにある。
【課題を解決するための手段】
【０００９】
いくつかの実施形態の第１態様は、光スキャナーを含み、光源からの光を参照光と測定光とに分割し、前記測定光を前記光スキャナーにより偏向して被検眼に投射し、前記被検眼からの前記測定光の戻り光と前記参照光との干渉光を検出することにより被検眼のデータを収集するＯＣＴ計測部と、前記被検眼の角膜に対して測定パターンを投射し、その戻り光を検出し、検出された前記戻り光の像に基づいて前記角膜における曲率半径分布を求める角膜形状測定部と、前記角膜における曲率半径分布を用いて眼球モデルを生成する眼球モデル生成部と、前記角膜における複数の入射位置のそれぞれに入射する測定光を前記光スキャナーによるスキャン角度と前記眼球モデルとに基づいて光線追跡することにより前記測定光の進行方向を特定し、当該測定光により収集されたデータに基づいて前記進行方向における前記被検眼の眼内部位に対応する位置を特定する部位特定部と、を含む眼科装置である。
【００１０】
いくつかの実施形態の第２態様では、第１態様において、前記角膜形状測定部は、前記角膜に対して同心円状の複数のリング状光束を投射する。
【００１１】
いくつかの実施形態の第３態様は、第１態様又は第２態様において、前記被検眼に対して光を投射し、その戻り光を検出し、検出された戻り光の像に基づいて前記被検眼の眼屈折力を求める眼屈折力測定部と、前記ＯＣＴ計測部により収集された前記データに基づいて前記被検眼の眼軸長を求める眼内距離算出部と、を含み、前記部位特定部は、眼の光学特性を表す標準値データと、前記眼屈折力と、前記眼軸長とに基づいて、前記眼内部位の形状を特定する。
【００１２】
いくつかの実施形態の第４態様では、第３態様において、前記眼球モデル生成部は、前記ＯＣＴ計測部により収集された前記被検眼のデータに基づいて、前記被検眼の一部又は全体のサイズを表すサイズパラメータ、前記被検眼の部位の形状を表す形状パラメータ、及び前記被検眼の部位の光学的機能を表す光学的パラメータのうち少なくとも１つを含むパラメータを求め、前記パラメータと、前記標準値データと、前記眼屈折力と、前記眼軸長と、前記曲率半径分布とに基づいて前記眼球モデルを生成する。
【００１３】
いくつかの実施形態の第５態様では、第１態様〜第４態様のいずれかにおいて、前記眼内部位は、網膜である。
【００１４】
いくつかの実施形態の第６態様は、被検眼に対して光コヒーレンストモグラフィを実行することにより収集されたデータに基づいて少なくとも前記被検眼の眼内部位の位置を特定する眼科情報処理装置である。眼科情報処理装置は、前記被検眼の角膜における曲率半径分布を用いて眼球モデルを生成する眼球モデル生成部と、前記角膜における複数の入射位置のそれぞれに入射する測定光を前記測定光を偏向する光スキャナーのスキャン角度と前記眼球モデルとに基づいて光線追跡することにより前記測定光の進行方向を特定し、当該測定光により収集されたデータに基づいて前記進行方向における前記眼内部位に対応する位置を特定する部位特定部と、を含む。
【００１５】
いくつかの実施形態の第７態様では、第６態様において、前記部位特定部は、眼の光学特性を表す標準値データと、前記被検眼の眼屈折力と、前記被検眼の眼軸長とに基づいて、前記眼内部位の形状を特定する。
【００１６】
いくつかの実施形態の第８態様では、第７態様において、前記眼球モデル生成部は、前記収集されたデータに基づいて、前記被検眼の一部又は全体のサイズを表すサイズパラメータ、前記被検眼の部位の形状を表す形状パラメータ、及び前記被検眼の部位の光学的機能を表す光学的パラメータのうち少なくとも１つを含むパラメータを求め、前記パラメータと、前記標準値データと、前記眼屈折力と、前記眼軸長と、前記曲率半径分布とに基づいて前記眼球モデルを生成する。
【００１７】
いくつかの実施形態の第９態様では、第６態様〜第８態様のいずれかにおいて、前記眼内部位は、網膜である。
【００１８】
いくつかの実施形態の第１０態様は、被検眼に対して光コヒーレンストモグラフィを実行することにより収集されたデータに基づいて前記被検眼の眼内部位の形状を特定する眼科情報処理方法でる。眼科情報処理方法は、前記被検眼の角膜における曲率半径分布を用いて眼球モデルを生成する眼球モデル生成ステップと、前記角膜における複数の入射位置のそれぞれに入射する測定光を前記測定光を偏向する光スキャナーのスキャン角度と前記眼球モデルとに基づいて光線追跡することにより前記測定光の進行方向を特定し、当該測定光により収集されたデータに基づいて前記進行方向における前記眼内部位に対応する位置を特定する部位特定ステップと、を含む。
【００１９】
いくつかの実施形態の第１１態様では、第１０態様において、前記部位特定ステップは、眼の光学特性を表す標準値データと、前記被検眼の眼屈折力と、前記被検眼の眼軸長とに基づいて、前記眼内部位の形状を特定する。
【００２０】
なお、上記した複数の請求項に係る構成を任意に組み合わせることが可能である。
【発明の効果】
【００２１】
本発明によれば、角膜の形状に応じて眼内部位の位置や形状を高精度に求めるための新たな技術を提供することが可能になる。
【図面の簡単な説明】
【００２２】
【図１】実施形態に係る眼科装置の構成例を示す概略図である。
【図２】実施形態に係る眼科装置の光学系の構成例を示す概略図である。
【図３】実施形態に係る眼科装置の光学系の構成例を示す概略図である。
【図４】実施形態に係る眼科装置の処理系を説明するための概略図である。
【図５】実施形態に係る眼科装置の処理系を説明するための概略図である。
【図６】実施形態に係る眼科装置の動作を説明するための概略図である。
【図７】実施形態に係る眼科装置の動作を説明するための概略図である。
【図８】実施形態に係る眼科装置の動作例のフローを示す概略図である。
【発明を実施するための形態】
【００２３】
この発明に係る眼科情報処理装置、眼科装置、及び眼科情報処理方法の実施形態の例について、図面を参照しながら詳細に説明する。なお、この明細書において引用された文献の記載内容や任意の公知技術を、以下の実施形態に援用することが可能である。
【００２４】
実施形態に係る眼科装置は、眼科情報処理装置の機能を有する。眼科情報処理装置の機能は、眼科情報処理プログラムに従って処理を実行するコンピュータにより実現される。眼科情報処理装置は、プロセッサと、眼科情報処理プログラムがあらかじめ記憶された記憶部とを備え、プロセッサが、記憶部から読み出された眼科情報処理プログラムに従って処理を実行することにより眼科情報処理装置の機能を実現する。
【００２５】
実施形態に係る眼科装置は、角膜形状測定（プラチド測定）と、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を用いた計測や撮影とを実行可能である。
【００２６】
以下、実施形態では、ＯＣＴを用いた計測等においてスウェプトソースタイプのＯＣＴの手法を用いる場合について特に詳しく説明する。しかしながら、他のタイプ（例えば、スペクトラルドメインタイプ）のＯＣＴを用いる眼科装置に対して、実施形態に係る構成を適用することも可能である。
【００２７】
いくつかの実施形態に係る眼科装置は、更に、自覚検査を行うための自覚検査光学系や、その他の他覚測定を行うための他覚測定系を含む。
【００２８】
自覚検査は、被検者からの応答を利用して情報を取得する測定手法である。自覚検査には、遠用検査、近用検査、コントラスト検査、グレア検査等の自覚屈折測定や、視野検査などがある。
【００２９】
他覚測定は、被検者からの応答を参照することなく、主に物理的な手法を用いて被検眼に関する情報を取得する測定手法である。他覚測定には、被検眼の特性を取得するための測定と、被検眼の画像を取得するための撮影とが含まれる。その他の他覚測定には、眼屈折力測定（レフ測定）、眼圧測定、眼底撮影等がある。
【００３０】
以下、眼底共役位置は、アライメントが完了した状態での被検眼の眼底と光学的に略共役な位置であり、被検眼の眼底と光学的に共役な位置又はその近傍を意味するものとする。同様に、瞳孔共役位置は、アライメントが完了した状態での被検眼の瞳孔と光学的に略共役な位置であり、被検眼の瞳孔と光学的に共役な位置又はその近傍を意味するものとする。
【００３１】
＜眼科装置の構成＞
図１に、実施形態に係る眼科装置１０００の構成例の概略図を示す。眼科装置１０００は、検査光学系３００と、眼科情報処理装置４００とを含む。検査光学系３００には、被検眼を光学的に検査するための光学系が設けられる。図１では、検査光学系３００は、プラチドリング投影系３１０と、ＯＣＴ光学系３２０とを含む。
【００３２】
プラチドリング投影系３１０は、被検眼の角膜の形状を測定するための光学系である。具体的には、プラチドリング投影系３１０は、被検眼の角膜に同心円状の複数のリング状パターン（測定パターン、プラチドリング）を投射し、その戻り光を検出する。ＯＣＴ光学系３２０は、被検眼に対してＯＣＴを実行するための光学系である。具体的には、ＯＣＴ光学系３２０は、干渉光学系を備え、被検眼に測定光を投射し、その戻り光を検出する。
【００３３】
眼科情報処理装置４００は、検査光学系３００を制御する機能と、検査光学系３００により得られたデータに対して所定の情報処理を実行する機能とを含む。情報処理には、検査光学系３００により得られたデータに基づく角膜形状の測定値の算出処理、プラチドリング投影系３１０又はＯＣＴ光学系３２０により得られたデータに対する解析処理、及び当該データに基づく画像処理などが挙げられる。
【００３４】
眼科装置１０００では、プラチドリング投影系３１０によりプラチドリングを投影することにより角膜形状測定が実行され、被検眼の角膜における角膜情報の分布情報が取得される。すなわち、角膜における複数の位置のそれぞれに対して角膜情報が求められる。いくつかの実施形態では、角膜情報は、角膜曲率半径を含む。眼科装置１０００は、ＯＣＴ光学系３２０により被検眼の眼底の所定のスキャン領域に対してＯＣＴ計測を実行し、ＯＣＴデータを取得する。眼科情報処理装置４００は、角膜における測定光の入射位置に対応した角膜情報を用いて眼球モデルを生成する。いくつかの実施形態では、眼科情報処理装置４００は、Ｇｕｌｌｓｔｒａｎｄ模型眼等の模型眼の模型眼データに含まれるパラメータの少なくとも１つを、プラチドリング投影系３１０を用いて得られた測定値を角膜における測定光の入射位置ごとに置き換えることにより眼球モデルを生成する。
【００３５】
眼科情報処理装置４００は、測定光の入射角度（光スキャナによるスキャン角度）と、生成された眼球モデルとに基づいて、角膜に入射する測定光を光線追跡することにより測定光の進行方向を特定し、当該測定光により収集されたＯＣＴデータに基づいて進行方向における眼内部位に対応する位置を特定する。いくつかの実施形態では、眼内部位は、網膜（眼底）である。いくつかの実施形態では、模型眼データと、被検眼の眼屈折力と、被検眼の眼軸長とに基づいて、特定された眼内部位の位置におけるサイズ情報（例えば、１画素当たりの実寸に相当する値）が特定され、当該サイズ情報に基づいて眼内部位の形状が特定される。
【００３６】
いくつかの実施形態では、眼科装置１０００は、眼科情報処理装置４００の機能だけを備え、プラチド測定により得られたデータ、及びＯＣＴにより得られたデータを外部装置から取得する。いくつかの実施形態では、眼科装置１０００は、プラチドリング投影系３１０及びＯＣＴ光学系３２０の一方だけを備え、プラチド測定により得られたデータ、又はＯＣＴ計測により得られたデータを外部装置から取得する。
【００３７】
＜光学系の構成＞
図２に、図１に示す眼科装置１０００の光学系の構成例を示す。図１のプラチドリング投影系３１０の機能は、図２のプラチドリング投影系３により実現される。図１のＯＣＴ光学系３２０の機能は、図２のＯＣＴ光学系８により実現される。図１の眼科情報処理装置４００の機能は、図１の処理部９により実現される。
【００３８】
眼科装置１０００は、被検眼Ｅを観察するための光学系と、被検眼Ｅを検査するための光学系と、これらの光学系の光路を波長分離するダイクロイックミラーとを含む。被検眼Ｅを観察するための光学系として、前眼部観察系５が設けられている。被検眼Ｅを検査するための光学系としてＯＣＴ光学系やプラチドリング投影系やレフ測定光学系（眼屈折力測定光学系）が設けられている。
【００３９】
眼科装置１０００は、Ｚアライメント系１、ＸＹアライメント系２、プラチドリング投影系３、固視投影系４、前眼部観察系５、レフ測定投射系６、レフ測定受光系７、及びＯＣＴ光学系８を含む。以下では、例えば、前眼部観察系５が９４０ｎｍ〜１０００ｎｍの光を用い、レフ測定光学系（レフ測定投射系６、レフ測定受光系７）が８３０ｎｍ〜８８０ｎｍの光を用い、固視投影系４が４００ｎｍ〜７００ｎｍの光を用い、ＯＣＴ光学系８が１０００ｎｍ〜１１００ｎｍの光を用いるものとする。プラチドリング投影系３は、レフ測定光学系と同じ波長範囲の光を用いることができる。
【００４０】
（前眼部観察系５）
前眼部観察系５は、被検眼Ｅの前眼部を動画撮影する。前眼部観察系５を経由する光学系において、撮像素子５９の撮像面は瞳孔共役位置に配置されている。前眼部照明光源５０は、被検眼Ｅの前眼部に照明光（例えば、赤外光）を照射する。被検眼Ｅの前眼部により反射された光は、対物レンズ５１を通過し、ダイクロイックミラー５２を透過し、絞り（テレセン絞り）５３に形成された孔部を通過し、ハーフミラー２３を透過し、リレーレンズ５５及び５６を通過し、ダイクロイックミラー７６を透過する。ダイクロイックミラー５２は、レフ測定光学系の光路と前眼部観察系５の光路とを合成（分離）する。ダイクロイックミラー５２は、これらの光路を合成する光路合成面が対物レンズ５１の光軸に対して傾斜して配置される。ダイクロイックミラー７６を透過した光は、結像レンズ５８により撮像素子５９（エリアセンサー）の撮像面に結像される。撮像素子５９は、所定のレートで撮像及び信号出力を行う。撮像素子５９の出力（映像信号）は、後述の処理部９に入力される。処理部９は、この映像信号に基づく前眼部像Ｅ´を後述の表示部１０の表示画面１０ａに表示させる。前眼部像Ｅ´は、例えば赤外動画像である。
【００４１】
（Ｚアライメント系１）
Ｚアライメント系１は、前眼部観察系５の光軸方向（前後方向、Ｚ方向）におけるアライメントを行うための光（赤外光）を被検眼Ｅに投射する。Ｚアライメント光源１１から出力された光は、被検眼Ｅの角膜Ｃｒに投射され、角膜Ｃｒにより反射され、結像レンズ１２によりラインセンサー１３のセンサー面に結像される。角膜頂点の位置が前眼部観察系５の光軸方向に変化すると、ラインセンサー１３のセンサー面における光の投射位置が変化する。処理部９は、ラインセンサー１３のセンサー面における光の投射位置に基づいて被検眼Ｅの角膜頂点の位置を求め、これに基づき光学系を移動させる機構を制御してＺアライメントを実行する。
【００４２】
（ＸＹアライメント系２）
ＸＹアライメント系２は、前眼部観察系５の光軸に直交する方向（左右方向（Ｘ方向）、上下方向（Ｙ方向））のアライメントを行うための光（赤外光）を被検眼Ｅに照射する。ＸＹアライメント系２は、ハーフミラー２３により前眼部観察系５の光路から分岐された光路に設けられたＸＹアライメント光源２１とコリメータレンズ２２とを含む。ＸＹアライメント光源２１から出力された光は、コリメータレンズ２２を通過し、ハーフミラー２３により反射され、前眼部観察系５を通じて被検眼Ｅに投射される。被検眼Ｅの角膜Ｃｒによる反射光は、前眼部観察系５を通じて撮像素子５９に導かれる。
【００４３】
この反射光に基づく像（輝点像）Ｂｒは前眼部像Ｅ´に含まれる。処理部９は、輝点像Ｂｒを含む前眼部像Ｅ´とアライメントマークＡＬとを表示部の表示画面に表示させる。手動でＸＹアライメントを行う場合、ユーザは、アライメントマークＡＬ内に輝点像Ｂｒを誘導するように光学系の移動操作を行う。自動でアライメントを行う場合、処理部９は、アライメントマークＡＬに対する輝点像Ｂｒの変位がキャンセルされるように、光学系を移動させる機構を制御する。
【００４４】
（プラチドリング投影系３）
プラチドリング投影系３は、被検眼Ｅの角膜Ｃｒの形状を測定するための同心円状の複数のリング状光束（赤外光、プラチドリング）を角膜Ｃｒに投射する。各リング状光束は、円弧状の光束又は円周状の光束であってよい。プラチド板３１は、対物レンズ５１の近傍に配置されている。プラチド板３１には、同心円状の複数の透光部（リングパターン）が形成されている。プラチド板３１の背面側（対物レンズ５１側）には、複数のＬＥＤを含むプラチドリング光源３２が設けられている。プラチドリング光源３２からの光でプラチド板３１を照明することにより、角膜Ｃｒに同心円状の複数のリング状光束が投影される。被検眼Ｅの角膜Ｃｒからの反射光（プラチドリング像）は撮像素子５９により前眼部像Ｅ´とともに検出される。処理部９は、このプラチドリング像を基に公知の演算を行うことで角膜Ｃｒの形状を表す角膜形状パラメータを算出する。
【００４５】
（レフ測定投射系６、レフ測定受光系７）
レフ測定光学系は、眼屈折力測定に用いられるレフ測定投射系６及びレフ測定受光系７を含む。レフ測定投射系６は、眼屈折力測定用の光束（例えば、リング状光束）（赤外光）を眼底Ｅｆに投射する。レフ測定受光系７は、この光束の被検眼Ｅからの戻り光を受光する。レフ測定投射系６は、レフ測定受光系７の光路に設けられた孔開きプリズム６５によって分岐された光路に設けられる。孔開きプリズム６５に形成されている孔部は、瞳孔共役位置に配置される。レフ測定受光系７を経由する光学系において、撮像素子５９の撮像面は眼底共役位置に配置される。
【００４６】
いくつかの実施形態では、レフ測定光源６１は、高輝度光源であるＳＬＤ（Ｓｕｐｅｒｌｕｍｉｎｅｓｃｅｎｔ  Ｄｉｏｄｅ）光源である。レフ測定光源６１は、光軸方向に移動可能である。レフ測定光源６１は、眼底共役位置に配置される。レフ測定光源６１から出力された光は、リレーレンズ６２を通過し、円錐プリズム６３の円錐面に入射する。円錐面に入射した光は偏向され、円錐プリズム６３の底面から出射する。円錐プリズム６３の底面から出射した光は、リング絞り６４にリング状に形成された透光部を通過する。リング絞り６４の透光部を通過した光（リング状光束）は、孔開きプリズム６５の孔部の周囲に形成された反射面により反射され、ロータリープリズム６６を通過し、ダイクロイックミラー６７により反射される。ダイクロイックミラー６７により反射された光は、ダイクロイックミラー５２により反射され、対物レンズ５１を通過し、被検眼Ｅに投射される。ロータリープリズム６６は、眼底Ｅｆの血管や疾患部位に対するリング状光束の光量分布を平均化や光源に起因するスペックルノイズの低減のために用いられる。
【００４７】
眼底Ｅｆに投射されたリング状光束の戻り光は、対物レンズ５１を通過し、ダイクロイックミラー５２及びダイクロイックミラー６７により反射される。ダイクロイックミラー６７により反射された戻り光は、ロータリープリズム６６を通過し、孔開きプリズム６５の孔部を通過し、リレーレンズ７１を通過し、反射ミラー７２により反射され、リレーレンズ７３及び合焦レンズ７４を通過する。合焦レンズ７４は、レフ測定受光系７の光軸に沿って移動可能である。合焦レンズ７４を通過した光は、反射ミラー７５により反射され、ダイクロイックミラー７６により反射され、結像レンズ５８により撮像素子５９の撮像面に結像される。処理部９は撮像素子５９からの出力を基に公知の演算を行うことで被検眼Ｅの屈折力値を算出する。例えば、屈折力値は、球面度数、乱視度数及び乱視軸角度、又は等価球面度数を含む。
【００４８】
（固視投影系４）
ダイクロイックミラー６７によりレフ測定光学系の光路から波長分離された光路に、後述のＯＣＴ光学系８が設けられる。ダイクロイックミラー８３によりＯＣＴ光学系８の光路から分岐された光路に固視投影系４が設けられる。
【００４９】
固視投影系４は、固視標を被検眼Ｅに呈示する。固視投影系４の光路には、固視ユニット４０が配置されている。固視ユニット４０は、後述の処理部９からの制御を受け、固視投影系４の光路に沿って移動可能である。固視ユニット４０は、液晶パネル４１を含む。
【００５０】
処理部９による制御を受けた液晶パネル４１は、固視標を表すパターンを表示する。液晶パネル４１は、計測（測定）の種別に対応した複数の固視標パターンを選択的に表示することが可能である。複数の固視標パターンは、視覚が異なるパターンを含む。液晶パネル４１は、２以上の固視標パターンを重畳して表示することが可能である。
【００５１】
液晶パネル４１の画面上におけるパターンの表示位置を変更することにより、被検眼Ｅの固視位置を変更できる。被検眼Ｅの固視位置としては、眼底Ｅｆの黄斑部を中心とする画像を取得するための位置や、視神経乳頭を中心とする画像を取得するための位置や、黄斑部と視神経乳頭との間の眼底中心を中心とする画像を取得するための位置などがある。固視標を表すパターンの表示位置を任意に変更することが可能である。
【００５２】
液晶パネル４１からの光は、リレーレンズ４２を通過し、ダイクロイックミラー８３を透過し、リレーレンズ８２を通過し、反射ミラー８１により反射され、ダイクロイックミラー６７を透過し、ダイクロイックミラー５２により反射される。ダイクロイックミラー５２により反射された光は、対物レンズ５１を通過して眼底Ｅｆに投射される。いくつかの実施形態では、液晶パネル４１及びリレーレンズ４２のそれぞれは、独立に光軸方向に移動可能である。
【００５３】
いくつかの実施形態では、液晶パネル４１に代えて、透過型又は反射型の視標チャートと、視標チャートを照明する照明光源と、点光源とが設けられる。視標チャートには、レフ測定用の固視標を表す第１固視標パターンが印刷される。照明光源により視標チャートを照明することにより被検眼Ｅにレフ測定用の固視標が呈示される。互いに視角が異なる２以上の固視標を選択的に被検眼Ｅに呈示するように、互いに視角が異なる固視標パターンが印刷された２以上の視標チャートが選択的に照明光源により照明されるように構成されてもよい。点光源を点灯させることにより、被検眼ＥにＯＣＴ計測用の固視標が呈示される。視標チャートには、ＯＣＴ計測用の固視標を表す第２固視標パターンが印刷されていてもよい。
【００５４】
（ＯＣＴ光学系８）
ＯＣＴ光学系８は、ＯＣＴ計測を行うための光学系である。ＯＣＴ計測よりも前に実施されたレフ測定結果に基づいて、光ファイバーｆ１の端面が撮影部位（眼底Ｅｆ又は前眼部）と光学系に共役となるように合焦レンズ８７の位置が調整される。
【００５５】
ＯＣＴ光学系８は、ダイクロイックミラー６７によりレフ測定光学系の光路から波長分離された光路に設けられる。上記の固視投影系４の光路は、ダイクロイックミラー８３によりＯＣＴ光学系８の光路に結合される。それにより、ＯＣＴ光学系８及び固視投影系４のそれぞれの光軸を同軸で結合することができる。
【００５６】
ＯＣＴ光学系８は、ＯＣＴユニット１００を含む。図３に示すように、ＯＣＴユニット１００において、ＯＣＴ光源１０１は、一般的なスウェプトソースタイプのＯＣＴ装置と同様に、出射光の波長を掃引（走査）可能な波長掃引型（波長走査型）光源を含んで構成される。波長掃引型光源は、共振器を含むレーザー光源を含んで構成される。ＯＣＴ光源１０１は、人眼では視認できない近赤外の波長帯において、出力波長を時間的に変化させる。
【００５７】
図３に例示するように、ＯＣＴユニット１００には、スウェプトソースＯＣＴを実行するための光学系が設けられている。この光学系は、干渉光学系を含む。この干渉光学系は、波長可変光源（波長掃引型光源）からの光を測定光と参照光とに分割する機能と、被検眼Ｅからの測定光の戻り光と参照光路を経由した参照光とを重ね合わせて干渉光を生成する機能と、この干渉光を検出する機能とを備える。干渉光学系により得られた干渉光の検出結果（検出信号）は、干渉光のスペクトルを示す信号であり、処理部９に送られる。
【００５８】
ＯＣＴ光源１０１は、例えば、出射光の波長（１０００ｎｍ〜１１００ｎｍの波長範囲）を高速で変化させる近赤外波長可変レーザーを含む。ＯＣＴ光源１０１から出力された光Ｌ０は、光ファイバー１０２により偏波コントローラ１０３に導かれてその偏光状態が調整される。偏光状態が調整された光Ｌ０は、光ファイバー１０４によりファイバーカプラー１０５に導かれて測定光ＬＳと参照光ＬＲとに分割される。
【００５９】
参照光ＬＲは、光ファイバー１１０によりコリメータ１１１に導かれて平行光束に変換され、光路長補正部材１１２及び分散補償部材１１３を経由し、コーナーキューブ１１４に導かれる。光路長補正部材１１２は、参照光ＬＲの光路長と測定光ＬＳの光路長とを合わせるよう作用する。分散補償部材１１３は、参照光ＬＲと測定光ＬＳとの間の分散特性を合わせるよう作用する。コーナーキューブ１１４は、参照光ＬＲの入射方向に移動可能であり、それにより参照光ＬＲの光路長が変更される。
【００６０】
コーナーキューブ１１４を経由した参照光ＬＲは、分散補償部材１１３及び光路長補正部材１１２を経由し、コリメータ１１６によって平行光束から集束光束に変換され、光ファイバー１１７に入射する。光ファイバー１１７に入射した参照光ＬＲは、偏波コントローラ１１８に導かれてその偏光状態が調整され、光ファイバー１１９によりアッテネータ１２０に導かれて光量が調整され、光ファイバー１２１によりファイバーカプラー１２２に導かれる。
【００６１】
一方、ファイバーカプラー１０５により生成された測定光ＬＳは、光ファイバーｆ１により導かれてコリメータレンズユニット８９により平行光束に変換され、光スキャナー８８、合焦レンズ８７、リレーレンズ８５、及び反射ミラー８４を経由し、ダイクロイックミラー８３により反射される。
【００６２】
光スキャナー８８は、例えば、瞳孔共役位置に配置される。光スキャナー８８は、測定光ＬＳを１次元的又は２次元的に偏向する。光スキャナー８８は、例えば、第１ガルバノミラーと、第２ガルバノミラーとを含む。第１ガルバノミラーは、ＯＣＴ光学系８の光軸に直交する水平方向に撮影部位（眼底Ｅｆ又は前眼部）をスキャンするように測定光ＬＳを偏向する。第２ガルバノミラーは、ＯＣＴ光学系８の光軸に直交する垂直方向に撮影部位をスキャンするように、第１ガルバノミラーにより偏向された測定光ＬＳを偏向する。いくつかの実施形態では、第１ガルバノミラーと第２ガルバノミラーとの中間位置が瞳孔共役位置に配置される。このような光スキャナー８８による測定光ＬＳの走査態様としては、例えば、水平スキャン、垂直スキャン、十字スキャン、放射スキャン、円スキャン、同心円スキャン、螺旋スキャンなどがある。
【００６３】
ダイクロイックミラー８３により反射された測定光ＬＳは、リレーレンズ８２を通過し、反射ミラー８１により反射され、ダイクロイックミラー６７を透過し、ダイクロイックミラー５２により反射され、対物レンズ５１により屈折されて被検眼Ｅに入射する。測定光ＬＳは、被検眼Ｅの様々な深さ位置において散乱・反射される。被検眼Ｅからの測定光ＬＳの戻り光は、往路と同じ経路を逆向きに進行してファイバーカプラー１０５に導かれ、光ファイバー１２８を経由してファイバーカプラー１２２に到達する。
【００６４】
ファイバーカプラー１２２は、光ファイバー１２８を介して入射された測定光ＬＳと、光ファイバー１２１を介して入射された参照光ＬＲとを合成して（干渉させて）干渉光を生成する。ファイバーカプラー１２２は、所定の分岐比（例えば１：１）で干渉光を分岐することにより、一対の干渉光ＬＣを生成する。一対の干渉光ＬＣは、それぞれ光ファイバー１２３及び１２４を通じて検出器１２５に導かれる。
【００６５】
検出器１２５は、例えばバランスドフォトダイオードである。バランスドフォトダイオードは、一対の干渉光ＬＣをそれぞれ検出する一対のフォトディテクタを含み、これらフォトディテクタにより得られた一対の検出結果の差分を出力する。検出器１２５は、この出力（検出信号）をＤＡＱ（Ｄａｔａ  Ａｃｑｕｉｓｉｔｉｏｎ  Ｓｙｓｔｅｍ）１３０に送る。
【００６６】
ＤＡＱ１３０には、ＯＣＴ光源１０１からクロックＫＣが供給される。クロックＫＣは、ＯＣＴ光源１０１において、波長可変光源により所定の波長範囲内で掃引される各波長の出力タイミングに同期して生成される。ＯＣＴ光源１０１は、例えば、各出力波長の光Ｌ０を分岐することにより得られた２つの分岐光の一方を光学的に遅延させた後、これらの合成光を検出した結果に基づいてクロックＫＣを生成する。ＤＡＱ１３０は、検出器１２５から入力される検出信号をクロックＫＣに基づきサンプリングする。ＤＡＱ１３０は、検出器１２５からの検出信号のサンプリング結果を処理部９の演算処理部２２０に送られる。演算処理部２２０は、例えば一連の波長走査毎に（Ａライン毎に）、サンプリングデータに基づくスペクトル分布にフーリエ変換等を施すことにより、各Ａラインにおける反射強度プロファイルを形成する。更に、演算処理部２２０は、各Ａラインの反射強度プロファイルを画像化することにより画像データを形成する。
【００６７】
本例では、参照光ＬＲの光路（参照光路、参照アーム）の長さを変更するためのコーナーキューブ１１４が設けられているが、これら以外の光学部材を用いて、測定光路長と参照光路長との差を変更することも可能である。
【００６８】
なお、眼科装置１０００は、被検眼Ｅと対物レンズ５１との間に挿脱可能な前置レンズを含んでもよい。例えば、前眼部に対してＯＣＴ計測を行うとき、前置レンズは被検眼Ｅと対物レンズ５１との間に配置され、眼底に対してＯＣＴ計測を行うとき、前置レンズは被検眼Ｅと対物レンズ５１との間から退避される。いくつかの実施形態では、眼科装置１０００は、被検眼Ｅと対物レンズ５１との間で挿脱可能な前置レンズが設けられることなく、ＯＣＴ光学系８におけるレンズの一部を光軸方向に移動することにより前眼部に対するＯＣＴ計測と眼底に対するＯＣＴ計測とが可能に構成される。
【００６９】
処理部９は、レフ測定光学系を用いて得られた測定結果から屈折力値を算出し、算出された屈折力値に基づいて、眼底Ｅｆとレフ測定光源６１と撮像素子５９とが共役となる位置に、レフ測定光源６１及び合焦レンズ７４それぞれを光軸方向に移動させる。いくつかの実施形態では、処理部９は、合焦レンズ７４の移動に連動してＯＣＴ光学系８の合焦レンズ８７をその光軸方向に移動させる。いくつかの実施形態では、処理部９は、レフ測定光源６１及び合焦レンズ７４の移動に連動して液晶パネル４１（固視ユニット４０）をその光軸方向に移動させる。
【００７０】
＜処理系の構成＞
眼科装置１０００の処理系の構成について説明する。眼科装置１０００の処理系の機能的構成の例を図４及び図５に示す。図４は、眼科装置１０００の処理系の機能ブロック図の一例を表す。図５は、データ処理部２２３の機能ブロック図の一例を表す。
【００７１】
処理部９は、眼科装置１０００の各部を制御する。また、処理部９は、各種演算処理を実行可能である。処理部９は、プロセッサを含む。プロセッサの機能は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路により実現される。処理部９は、例えば、記憶回路や記憶装置に格納されているプログラムを読み出し実行することで、実施形態に係る機能を実現する。
【００７２】
処理部９は、実施形態に係る「眼科情報処理装置」の一例である。すなわち、処理部９の機能を実現するためのプログラムは、実施形態に係る「眼科情報処理プログラム」の一例である。
【００７３】
処理部９は、制御部２１０と、演算処理部２２０とを含む。また、眼科装置１０００は、移動機構２００と、表示部２７０と、操作部２８０と、通信部２９０とを含む。
【００７４】
移動機構２００は、Ｚアライメント系１、ＸＹアライメント系２、プラチドリング投影系３、固視投影系４、前眼部観察系５、レフ測定投射系６、レフ測定受光系７及びＯＣＴ光学系８等の光学系が収納されたヘッド部を前後左右方向に移動させるための機構である。例えば、移動機構２００には、ヘッド部を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。制御部２１０（主制御部２１１）は、アクチュエータに対して制御信号を送ることにより移動機構２００に対する制御を行う。
【００７５】
（制御部２１０）
制御部２１０は、プロセッサを含み、眼科装置の各部を制御する。制御部２１０は、主制御部２１１と、記憶部２１２とを含む。記憶部２１２には、眼科装置を制御するためのコンピュータプログラムがあらかじめ格納される。コンピュータプログラムには、光源制御用プログラム、検出器制御用プログラム、光スキャナー制御用プログラム、光学系制御用プログラム、演算処理用プログラム及びユーザインターフェイス用プログラムなどが含まれる。このようなコンピュータプログラムに従って主制御部２１１が動作することにより、制御部２１０は制御処理を実行する。
【００７６】
主制御部２１１は、測定制御部として眼科装置の各種制御を行う。Ｚアライメント系１に対する制御には、Ｚアライメント光源１１の制御、ラインセンサー１３の制御などがある。Ｚアライメント光源１１の制御には、光源の点灯、消灯、光量調整、絞り調整などがある。ラインセンサー１３の制御には、検出素子の露光調整やゲイン調整や検出レート調整などがある。それにより、Ｚアライメント光源１１の点灯と非点灯とが切り替えられたり、光量が変更されたりする。主制御部２１１は、ラインセンサー１３により検出された信号を取り込み、取り込まれた信号に基づいてラインセンサー１３に対する光の投影位置を特定する。主制御部２１１は、特定された投影位置に基づいて被検眼Ｅの角膜頂点の位置を求め、これに基づき移動機構２００を制御してヘッド部を前後方向に移動させる（Ｚアライメント）。
【００７７】
ＸＹアライメント系２に対する制御には、ＸＹアライメント光源２１の制御などがある。ＸＹアライメント光源２１の制御には、光源の点灯、消灯、光量調整、絞り調整などがある。それにより、ＸＹアライメント光源２１の点灯と非点灯とが切り替えられたり、光量が変更されたりする。主制御部２１１は、撮像素子５９により検出された信号を取り込み、取り込まれた信号に基づいてＸＹアライメント光源２１からの光の戻り光に基づく輝点像の位置を特定する。主制御部２１１は、所定の目標位置（例えば、アライメントマークＡＬの中心位置）に対する輝点像Ｂｒの位置との変位がキャンセルされるように移動機構２００を制御してヘッド部を左右上下方向に移動させる（ＸＹアライメント）。
【００７８】
プラチドリング投影系３に対する制御には、プラチドリング光源３２の制御などがある。プラチドリング光源３２の制御には、光源の点灯、消灯、光量調整、絞り調整などがある。それにより、プラチドリング光源３２の点灯と非点灯とが切り替えられたり、光量が変更されたりする。また、プラチドリング光源３２を制御することにより、プラチドリングのリング数が変更されてもよい。主制御部２１１は、撮像素子５９により検出されたプラチドリング像に対する公知の演算を演算処理部２２０に実行させる。それにより、被検眼Ｅの角膜形状パラメータが求められる。
【００７９】
固視投影系４に対する制御には、液晶パネル４１の制御や固視ユニット４０の移動制御などがある。液晶パネル４１の制御には、固視標を表すパターンの表示のオン・オフや、固視標を表すパターンの切り替え、固視標を表すパターンの表示位置の切り替えなどがある。
【００８０】
例えば、固視投影系４には、液晶パネル４１（又は固視ユニット４０）を光軸方向に移動する移動機構が設けられる。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、少なくとも液晶パネル４１を光軸方向に移動させる。それにより、液晶パネル４１と眼底Ｅｆとが光学的に共役となるように液晶パネル４１の位置が調整される。
【００８１】
前眼部観察系５に対する制御には、前眼部照明光源５０の制御、撮像素子５９の制御などがある。前眼部照明光源５０の制御には、光源の点灯、消灯、光量調整、絞り調整などがある。それにより、前眼部照明光源５０の点灯と非点灯とが切り替えられたり、光量が変更されたりする。撮像素子５９の制御には、撮像素子５９の露光調整やゲイン調整や検出レート調整などがある。主制御部２１１は、撮像素子５９により検出された信号を取り込み、取り込まれた信号に基づく画像の形成等の処理を演算処理部２２０に実行させる。
【００８２】
レフ測定投射系６に対する制御には、レフ測定光源６１の制御、ロータリープリズム６６の制御などがある。レフ測定光源６１の制御には、光源の点灯、消灯、光量調整、絞り調整などがある。それにより、レフ測定光源６１の点灯と非点灯とが切り替えられたり、光量が変更されたりする。例えば、レフ測定投射系６は、レフ測定光源６１を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、レフ測定光源６１を光軸方向に移動させる。ロータリープリズム６６の制御には、ロータリープリズム６６の回転制御などがある。例えば、ロータリープリズム６６を回転させる回転機構が設けられており、主制御部２１１は、この回転機構を制御することによりロータリープリズム６６を回転させる。
【００８３】
レフ測定受光系７に対する制御には、合焦レンズ７４の制御などがある。合焦レンズ７４の制御には、合焦レンズ７４の光軸方向への移動制御などがある。例えば、レフ測定受光系７は、合焦レンズ７４を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、合焦レンズ７４を光軸方向に移動させる。主制御部２１１は、レフ測定光源６１と眼底Ｅｆと撮像素子５９とが光学的に共役となるように、例えば被検眼Ｅの屈折力に応じてレフ測定光源６１及び合焦レンズ７４をそれぞれ光軸方向に移動させることが可能である。
【００８４】
ＯＣＴ光学系８に対する制御には、ＯＣＴ光源１０１の制御、光スキャナー８８の制御、合焦レンズ８７の制御、コーナーキューブ１１４の制御、検出器１２５の制御、ＤＡＱ１３０の制御などがある。ＯＣＴ光源１０１の制御には、光源の点灯、消灯、光量調整、絞り調整などがある。光スキャナー８８の制御には、第１ガルバノミラーによる走査位置や走査範囲や走査速度の制御、第２ガルバノミラーによる走査位置や走査範囲や走査速度の制御などがある。
【００８５】
合焦レンズ８７の制御には、合焦レンズ８７の光軸方向への移動制御、撮影部位に対応した合焦基準位置への合焦レンズ８７の移動制御、撮影部位に対応した移動範囲（合焦範囲）内での移動制御などがある。例えば、ＯＣＴ光学系８は、合焦レンズ８７を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、合焦レンズ８７を光軸方向に移動させる。いくつかの実施形態では、眼科装置には、合焦レンズ７４及び８７を保持する保持部材と、保持部材を駆動する駆動部が設けられる。主制御部２１１は、駆動部を制御することにより合焦レンズ７４及び８７の移動制御を行う。主制御部２１１は、例えば、合焦レンズ７４の移動に連動して合焦レンズ８７を移動させた後、干渉信号の強度に基づいて合焦レンズ８７だけを移動させるようにしてもよい。
【００８６】
コーナーキューブ１１４の制御には、コーナーキューブ１１４の光路に沿った移動制御などがある。例えば、ＯＣＴ光学系８は、コーナーキューブ１１４を光路に沿った方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、コーナーキューブ１１４を光路に沿った方向に移動させる。検出器１２５の制御には、検出素子の露光調整やゲイン調整や検出レート調整などがある。主制御部２１１は、検出器１２５により検出された信号をＤＡＱ１３０によりサンプリングし、サンプリングされた信号に基づく画像の形成等の処理を演算処理部２２０（画像形成部２２２）に実行させる。
【００８７】
また、主制御部２１１は、表示制御部として、撮像素子５９により得られた被検眼Ｅの画像（前眼部像、眼底像）、操作部２８０の機能をタッチパネルにより実現するためのグラフィカルユーザインターフェイス、及び演算処理部２２０の処理結果に対応した情報などを表示部２７０に表示させることが可能である。演算処理部２２０の処理結果として、画像形成部２２２により形成された画像、データ処理部２２３の処理結果などがある。
【００８８】
更に、主制御部２１１は、記憶部２１２にデータを書き込む処理や、記憶部２１２からデータを読み出す処理を行う。
【００８９】
（記憶部２１２）
記憶部２１２は、各種のデータを記憶する。記憶部２１２に記憶されるデータとしては、例えば他覚測定の測定結果、ＯＣＴ計測の計測結果、断層像の画像データ、眼底像の画像データ、被検眼情報、被検者情報、模型眼データ２１２Ａなどがある。被検眼情報は、左眼／右眼の識別情報などの被検眼に関する情報を含む。被検者情報は、患者ＩＤ、氏名、被検者の年令、性別、身長、体重などの被検者に関する情報を含む。いくつかの実施形態では、被検者情報は、電子カルテから取得される情報である。いくつかの実施形態では、被検眼情報や被検者情報は、操作部２８０を用いて検者又は被検者により入力される情報である。
【００９０】
模型眼データ２１２Ａは、眼球モデルを構成する２以上のパラメータを含む。このようなパラメータには、サイズパラメータ、形状パラメータ及び光学的パラメータがある。サイズパラメータは、眼の一部又は全体のサイズを表す。形状パラメータは、眼の部位の形状を表す。光学的パラメータは、眼の部位の光学的機能を表す。
【００９１】
模型眼データ２１２Ａは、例えば、公知の模型眼のデータであってよい。公知の模型眼として、Ｇｕｌｌｓｔｒａｎｄ模型眼、Ｈｅｌｍｈｏｌｔｚ模型眼などがある。模型眼データ２１２Ａに含まれるパラメータは、上記のプラチド測定、眼屈折力測定、又はＯＣＴ計測により得られた測定値に置き換えられ、後述の眼球モデルの生成に供される。
【００９２】
また、記憶部２１２には、眼科装置を動作させるための各種プログラムやデータが記憶されている。
【００９３】
（演算処理部２２０）
演算処理部２２０は、画像形成部２２２と、データ処理部２２３とを含む。
【００９４】
（画像形成部２２２）
画像形成部２２２は、検出器１２５により検出された信号に基づいて、眼底Ｅｆの断層像の画像データを形成する。すなわち、画像形成部２２２は、干渉光学系による干渉光ＬＣの検出結果に基づいて被検眼Ｅの画像データを形成する。この処理には、従来のスペクトラルドメインタイプのＯＣＴと同様に、フィルター処理、ＦＦＴ（Ｆａｓｔ  Ｆｏｕｒｉｅｒ  Ｔｒａｎｓｆｏｒｍ）などの処理が含まれている。このようにして取得される画像データは、複数のＡライン（被検眼Ｅ内における各測定光ＬＳの経路）における反射強度プロファイルを画像化することにより形成された一群の画像データを含むデータセットである。
【００９５】
画質を向上させるために、同じパターンでのスキャンを複数回繰り返して収集された複数のデータセットを重ね合わせる（加算平均する）ことができる。
【００９６】
（データ処理部２２３）
データ処理部２２３は、画像形成部２２２により形成された断層像に対して各種のデータ処理（画像処理）や解析処理を施す。例えば、データ処理部２２３は、画像の輝度補正や分散補正等の補正処理を実行する。また、データ処理部２２３は、前眼部観察系５を用いて得られた画像（前眼部像等）に対して各種の画像処理や解析処理を施す。
【００９７】
データ処理部２２３は、断層像の間の画素を補間する補間処理などの公知の画像処理を実行することにより、被検眼Ｅのボリュームデータ（ボクセルデータ）を形成することができる。ボリュームデータに基づく画像を表示させる場合、データ処理部２２３は、このボリュームデータに対してレンダリング処理を施して、特定の視線方向から見たときの擬似的な３次元画像を形成する。
【００９８】
データ処理部２２３は、取得されたボリュームデータ（３次元データセット、スタックデータ等）に各種のレンダリングを施すことで、任意断面におけるＢモード画像（縦断面像、軸方向断面像）、任意断面におけるＣモード画像（横断面像、水平断面像）、プロジェクション画像、シャドウグラムなどを形成することができる。Ｂモード画像やＣモード画像のような任意断面の画像は、指定された断面上の画素（ピクセル、ボクセル）を３次元データセットから選択することにより形成される。プロジェクション画像は、３次元データセットを所定方向（Ｚ方向、深さ方向、軸方向）に投影することによって形成される。シャドウグラムは、３次元データセットの一部（たとえば特定層に相当する部分データ）を所定方向に投影することによって形成される。Ｃモード画像、プロジェクション画像、シャドウグラムのような、被検眼の正面側を視点とする画像を正面画像（ｅｎ−ｆａｃｅ画像）と呼ぶ。
【００９９】
また、データ処理部２２３は、ＯＣＴにより時系列に収集されたデータ（例えば、Ｂスキャン画像データ）に基づいて、網膜血管や脈絡膜血管が強調されたＢモード画像や正面画像（血管強調画像、アンギオグラム）を構築することができる。例えば、被検眼Ｅの略同一部位を反復的にスキャンすることにより、時系列のＯＣＴデータを収集することができる。
【０１００】
図５に示すように、データ処理部２２３は、角膜情報生成部２２３１と、眼屈折力算出部２２３２と、眼内距離算出部２２３３と、眼球モデル生成部２２３４と、部位特定部２２３５とを含む。
【０１０１】
（角膜情報生成部２２３１）
角膜情報生成部２２３１は、撮像素子５９により取得されたプラチドリング像を用いて公知の演算を行うことにより角膜Ｃｒの形状を表すパラメータを含む角膜情報（角膜形状情報）の分布情報を生成する。すなわち、角膜Ｃｒの複数の位置のそれぞれにおける角膜情報が生成される。
【０１０２】
角膜Ｃｒの形状を表すパラメータには、角膜曲率半径、角膜屈折力、角膜乱視度、角膜乱視軸方向、角膜波面収差などがある。
【０１０３】
例えば、角膜情報生成部２２３１は、取得されたプラチドリング像のリング像の高さ（又は間隔）を解析することにより上記のパラメータを算出することが可能である。
【０１０４】
以下では、角膜情報生成部２２３１が角膜情報として角膜曲率半径を求める場合について説明する。すなわち、角膜Ｃｒにおける曲率半径分布が求められる。
【０１０５】
（眼屈折力算出部２２３２）
眼屈折力算出部２２３２は、レフ測定投射系６により眼底Ｅｆに投影されたリング状光束（リング状の測定パターン）の戻り光を撮像素子５９が受光することにより得られたリング像（パターン像）を解析する。
【０１０６】
例えば、眼屈折力算出部２２３２は、得られたリング像が描出された画像における輝度分布からリング像の重心位置を求め、この重心位置から放射状に延びる複数の走査方向に沿った輝度分布を求め、この輝度分布からリング像を特定する。続いて、眼屈折力算出部２２３２は、特定されたリング像の近似楕円を求め、この近似楕円の長径及び短径を公知の式に代入することによって球面度数、乱視度数及び乱視軸角度を求める。或いは、眼屈折力算出部２２３２は、基準パターンに対するリング像の変形及び変位に基づいて眼屈折力のパラメータを求めることができる。
【０１０７】
（眼内距離算出部２２３３）
眼内距離算出部２２３３は、ＯＣＴ光学系８により得られた干渉光ＬＣの検出結果（ＯＣＴデータ）に基づいて被検眼Ｅにおける１以上の眼内距離を求める。１以上の眼内距離は、眼軸長（角膜頂点から網膜までの距離）を含む。網膜の位置として、網膜における所定の層組織（例えば、内境界膜）の位置を採用することができる。いくつかの実施形態では、眼内距離算出部２２３３は、ＯＣＴ光学系８により得られた干渉光ＬＣの検出結果を解析することにより眼内の所定部位に相当する干渉光の検出結果（干渉信号）のピーク位置を特定し、特定されたピーク位置間の距離に基づいて上記の眼内距離を求める。いくつかの実施形態に係る眼内距離算出部２２３３は、更に、角膜厚、前房深度、水晶体厚、硝子体腔長、網膜厚、脈絡膜厚などを求める。
【０１０８】
（眼球モデル生成部２２３４）
眼球モデル生成部２２３４は、ＯＣＴ光学系８により得られた干渉光ＬＣの検出結果（ＯＣＴデータ）に基づいて被検眼Ｅに関するパラメータ（値）を求める。更に、眼球モデル生成部２２３４は、求められたパラメータに基づいて、被検眼Ｅの３次元眼球モデルを作成する。
【０１０９】
眼球モデル生成部２２３４は、上記の模型眼データ２１２Ａに含まれるパラメータのうち、プラチド測定、眼屈折力測定、又はＯＣＴ計測の結果に基づいて算出可能なパラメータを求める。眼球モデル生成部２２３４は、パラメータの一部として、眼内距離算出部２２３３により算出されたパラメータを採用することが可能である。
【０１１０】
眼球モデル生成部２２３４は、上記のサイズパラメータ、形状パラメータ、及び光学的パラメータを求めることが可能である。
【０１１１】
上記のように、サイズパラメータは、眼の一部又は全体のサイズを表す。眼の一部を表すサイズパラメータとしては、角膜厚、水晶体厚、前房深度（角膜後面と水晶体前面との間の距離）、網膜厚、瞳孔径などがある。眼の全体を表すサイズパラメータとして、例えば眼軸長がある。
【０１１２】
上記のように、形状パラメータは、眼の部位の形状を表す。眼の部位は、例えば、角膜前面、角膜後面、水晶体前面、水晶体後面、網膜表面、網膜の所定層、脈絡膜、瞳孔（虹彩）などであってよい。また、形状を表すパラメータには、所定の一点における曲率や、所定の範囲における曲率分布や、傾斜角度などがある。
【０１１３】
上記のように、光学的パラメータは、眼の部位の光学的機能を表す。光学的パラメータとしては、角膜（前面、後面）の屈折力（球面度、乱視度、乱視軸等）や、水晶体（前面、後面）の屈折力などがある。また、光学的パラメータは、色収差、球面収差、コマ収差、非点収差、像面湾曲、歪曲など、収差に関する任意のパラメータを含んでいてもよい。また、光学的パラメータは、眼の部位の屈折率や反射率や分散特性や偏光特性など、眼の部位の光学特性に関する任意のパラメータを含んでいてもよい。
【０１１４】
なお、プラチド測定、眼屈折力測定、又はＯＣＴ計測により得られたデータに基づいて、模型眼データに含まれるパラメータを補正して、眼球モデルを構成する新たなパラメータとして適用されてもよい。
【０１１５】
眼球モデル生成部２２３４は、パラメータ算出部２２３４Ａと、モデル生成部２２３４Ｂとを含む。
【０１１６】
（パラメータ算出部２２３４Ａ）
パラメータ算出部２２３４Ａは、ＯＣＴ光学系８により得られたＯＣＴデータ（データセット）を解析することにより被検眼Ｅに関する既定のパラメータを求める。ＯＣＴデータセットは、角膜前面から網膜表面にわたる範囲を含む被検眼Ｅの３次元領域の形態を表す。すなわち、この３次元領域がＯＣＴによる計測領域に相当し、ＯＣＴデータセットとして得られる画像はこの３次元領域における被検眼Ｅの各部の形態を描出している。
【０１１７】
ＯＣＴデータセットからサイズパラメータを算出する処理の例を説明する。まず、パラメータ算出部２２３４Ａは、対象となる被検眼Ｅの部位を特定する。この処理は、ＯＣＴデータセットの画素値を解析することによって実行され、例えば、フィルター処理、閾値処理、エッジ検出等の公知の画像処理を含む。典型的な例として、角膜厚を求める場合には角膜前面と角膜後面とが特定され、水晶体厚を求める場合には水晶体前面と水晶体後面とが特定され、前房深度を求める場合には角膜後面と水晶体前面とが特定され、網膜厚が求められる場合には網膜表面と網膜裏面とが特定され、瞳孔径を求める場合には虹彩のエッジ（瞳孔の境界）が特定される。ＯＣＴデータセットから眼軸長を求める場合には角膜前面と網膜表面（網膜における所定の層組織）とが特定される。
【０１１８】
次に、パラメータ算出部２２３４Ａは、特定された部位のうち、サイズの計測位置となる２以上の特徴点を特定する。この処理は、特定された部位の画素位置及び／又は画素値を解析することにより実行され、たとえば、パターンマッチング、微分演算（曲率演算）、フィルター処理、閾値処理、エッジ検出等の公知の画像処理を含む。角膜厚を求める場合、角膜前面の頂点（角膜頂点）と角膜後面の頂点とが特定される。角膜前面の頂点は、例えば、角膜前面の形状解析により特定され、或いは、角膜前面の画素のＺ座標値により特定される。角膜後面の頂点は、例えば、角膜頂点を通過しＺ方向に延びる直線と角膜後面との交点として特定され、角膜後面の形状解析により特定され、或いは、角膜後面の画素のＺ座標値により特定される。他のパラメータについても同様の処理が実行される。
【０１１９】
更に、パラメータ算出部２２３４Ａは、特定された２以上の特徴点に基づいてサイズを求める。角膜厚を求める場合、特定された角膜前面の頂点と角膜後面の頂点との間の距離を求める。この距離は、例えば、２つの頂点の間の画素数で表現されてもよいし、この画素数を撮影倍率に基づき実空間距離に換算した値でもよい。
【０１２０】
ＯＣＴデータセットから形状パラメータを算出する処理の例を説明する。まず、パラメータ算出部２２３４Ａは、対象となる被検眼Ｅの部位を特定する。この処理は、サイズパラメータの場合と同様であってよい。次に、パラメータ算出部２２３４Ａは、特定された部位に基づいて形状パラメータを算出する。例えば、特徴点における曲率を求める場合、サイズパラメータと同様にして特徴点を特定し、この特徴点の近傍の形状に基づいてこの特徴点における曲率を算出することができる。所定の範囲における曲率分布を求める場合には、当該範囲内の各点について同様の処理を実行すればよい。傾斜角度を求める場合、当該位置（点）及びその近傍の形状に基づく微分処理を実行することができる。
【０１２１】
ＯＣＴデータセットから光学的パラメータを算出する処理の例を説明する。ＯＣＴデータセットは、被検眼Ｅの部位の形態（形状、サイズ等）を表すものである。部位の形態のみから算出可能な光学的パラメータについては、部位の形状やサイズと光学的パラメータとを関連付ける公知の数式を利用して光学的パラメータを算出することが可能である。また、部位の形態のみから算出することができない光学的パラメータについては、必要な他の値（測定値、又は模型眼データ等の標準値）を参照しつつ公知の数式を利用することが可能である。例えば、水晶体の屈折力を求める場合、水晶体の屈折率と、それに隣接する部位の屈折率とを参照することができる。また、近軸近似を仮定して光線追跡を行うことによって屈折力を求めることも可能である。
【０１２２】
（モデル生成部２２３４Ｂ）
モデル生成部２２３４Ｂは、角膜情報生成部２２３１により生成された角膜情報の分布（具体的には、曲率半径分布）を用いて、被検眼Ｅの３次元眼球モデルを作成する。より具体的には、モデル生成部２２３４Ｂは、角膜情報生成部２２３１により生成された角膜情報の分布と、眼内距離算出部２２３３により算出された眼軸長と、眼屈折力算出部２２３２により算出された屈折力値と、パラメータ算出部２２３４Ａにより算出されたパラメータとに基づいて、被検眼Ｅの３次元の眼球モデルを作成する。
【０１２３】
モデル生成部２２３４Ｂは、上記の各部で算出されたパラメータのそれぞれを、眼球モデルにおける対応部位に関連付ける。この処理は、例えば、パラメータと、それを算出する処理において特定された部位や特徴点とを関連付けることにより実行される。例えば、角膜前面の形状を表すパラメータ（曲率、曲率分布等）と、眼球モデルにおける角膜前面とが関連付けられる。この実施形態では、眼球モデルにおける角膜に、プラチドリング投影系３を用いて取得された曲率半径分布が関連付けられる。また、眼軸長を表すパラメータと、眼球モデルにおける角膜前面（角膜頂点等）及び網膜表面（中心窩等）とが関連付けられる。他のパラメータについても同様である。
【０１２４】
（部位特定部２２３５）
部位特定部２２３５は、角膜Ｃｒに入射する測定光の眼内における進行方向を特定し、当該測定光により収集されたＯＣＴデータに基づいて進行方向における被検眼Ｅの眼内部位に対応する位置を特定する。ここでは、眼内部位が、網膜（又は網膜を構成する層組織のいずれか）であるものとする。
【０１２５】
図６及び図７に、部位特定部２２３５の動作説明図を示す。図６は、被検眼Ｅの眼内に入射する測定光を模式的に表したものである。図７は、被検眼Ｅの角膜Ｃｒの複数の位置に入射する測定光を模式的に表したものである。図６及び図７において、同様の部分には同一符号を付し、適宜説明を省略する。
【０１２６】
上記のように、測定光を偏向する光スキャナー８８は、瞳孔共役位置に配置されるため、測定光は、瞳孔又はその近傍を基準に偏向される。図６に示すように光スキャナー８８のスキャン角度（光軸Ｏを基準）をθとすると、部位特定部２２３５は、光スキャナー８８のスキャン角度θと眼球モデル生成部２２３４により生成された眼球モデルとに基づいて、測定光を光線追跡することにより測定光の進行方向を特定する。光線追跡は、異なる媒質を進行する光線をスネルの法則を用いて追跡する公知の手法である。この実施形態では、眼球モデルの角膜や水晶体等が光線に与える影響を幾何光学的に追跡することにより、眼球モデル内を通過する測定光の振る舞いを求める。
【０１２７】
また、部位特定部２２３５は、角膜Ｃｒにおける複数の入射位置のそれぞれに入射する測定光の進行方向を特定することによって、眼内部位における複数の位置を特定することが可能である。
【０１２８】
図７に示すように、虹彩領域ＡＲ１に囲まれた瞳孔領域ＡＲ２の前面側の角膜Ｃｒには、プラチドリング投影系３を用いて取得された角膜Ｃｒの曲率半径分布ＢＰが関連付けられている。部位特定部２２３５は、角膜Ｃｒの入射位置ｐ１に入射する測定光ＬＳ１を光線追跡して眼内の進行方向を特定し、測定光ＬＳ１により得られたＯＣＴデータ（Ａスキャンデータ）から網膜に相当する位置Ｆ１を特定する。ＯＣＴデータのピーク位置を特定することで、網膜に相当する位置を特定することができる。このとき、曲率半径分布ＢＰにおいて入射位置ｐ１に対応する曲率半径を用いて光線追跡が行われる。網膜に相当する位置は、網膜を構成する層組織のいずれかの位置であってよい。網膜を構成する層組織には、内境界膜、神経繊維層、神経節細胞層、内網状層、内顆粒層、外網状層、外顆粒層、外境界膜、視細胞層、ＲＰＥなどがある。
【０１２９】
同様に、部位特定部２２３５は、角膜Ｃｒの入射位置ｐ２に入射する測定光ＬＳ２を光線追跡して眼内の進行方向を特定し、測定光ＬＳ２により得られたＯＣＴデータから網膜に相当する位置Ｆ２を特定する。このとき、曲率半径分布ＢＰにおいて入射位置ｐ２に対応する曲率半径を用いて光線追跡が行われる。位置Ｆ１、Ｆ２は、網膜における位置であるため、角膜Ｃｒの形状を反映して網膜の形状を特定することができるようになる。
【０１３０】
例えば、網膜における１つのＢスキャンライン上の２以上の位置を特定することで、Ｂスキャン方向の網膜の２次元的な形状を特定することができる。例えば、網膜における２以上のＢスキャンライン上の３以上の位置を特定することで、網膜の３次元的な形状を特定することができる。
【０１３１】
いくつかの実施形態では、部位特定部２２３５は、模型眼データ２１２Ａと、レフ測定光学系を用いて取得された被検眼Ｅの眼屈折力と、眼内距離算出部２２３３（又はパラメータ算出部２２３４Ａ）により算出された眼軸長とに基づいて、特定された網膜の領域を撮影倍率（サイズ情報）に基づき実空間距離に換算して網膜のほぼ実寸法の形状として特定してもよい。
【０１３２】
この場合、部位特定部２２３５は、以下のように生成されたサイズ情報を基準に、網膜の領域をほぼ実寸法の領域として特定することが可能である。
【０１３３】
部位特定部２２３５は、模型眼データ２１２Ａと被検眼Ｅの光学特性の測定値とを用いてサイズ情報を生成する。被検眼Ｅの光学特性の測定値には、角膜曲率半径の分布、眼屈折力、及び眼軸長のうち少なくとも１つを含む。角膜曲率半径の分布は、プラチドリング投影系３を用いて取得される。眼屈折力は、レフ測定投射系６及びレフ測定受光系７を用いて取得される。眼軸長は、ＯＣＴ光学系８を用いて取得される。このような部位特定部２２３５による処理は、例えば特開２０１６−０４３１５５号公報に開示された処理と同様であってよい。
【０１３４】
部位特定部２２３５は、模型眼データと、眼科装置１０００により取得された測定値とを用いてサイズ情報を生成する。このサイズ情報の生成処理では、模型眼データに含まれるパラメータのうち、眼科装置１０００により測定可能なパラメータについては眼科装置１０００により取得された測定値が用いられる。
【０１３５】
この実施形態では、部位特定部２２３５は、取得された測定値に基づく倍率補正を行うことによりサイズ情報を生成することが可能である。例えば、部位特定部２２３５は、被検眼Ｅの眼球光学系による倍率を求め、求められた倍率から被検眼Ｅの断層像における水平方向の１画素のサイズを示すサイズ情報を生成する。
【０１３６】
その具体例として、まず、部位特定部２２３５は、被検眼Ｅの光学特性の測定値に基づいて、被検眼の眼球光学系による倍率を演算する。この実施形態では、被検眼Ｅによる倍率と、ＯＣＴ光学系８による倍率の双方を考慮した撮影倍率を求める。ここで、ＯＣＴ光学系８は、被検眼Ｅの側から順に対物レンズ５１、撮影絞り（不図示）、変倍レンズ（合焦レンズ８７）及びリレーレンズ８５が光軸に配置された一般的な構成を有しているものとする。
【０１３７】
まず、部位特定部２２３５は、眼屈折力が角膜頂点における測定値（角膜屈折度数）である場合、必要に応じて、瞳孔における屈折力（瞳屈折度数）に変換する。この演算は、例えば、従来と同様に、眼鏡装用距離と、角膜頂点から入射瞳までの距離とに基づいて行うことができる。
【０１３８】
次に、部位特定部２２３５は、対物レンズ５１による結像位置を演算する。この演算は、例えば、瞳屈折度数と、対物レンズ５１の焦点距離と、入射瞳から対物レンズ５１の前側焦点までの距離とを基に、ニュートンの式を用いることにより行うことができる。
【０１３９】
次に、部位特定部２２３５は、変倍レンズ（合焦レンズ）による撮影倍率を演算する。この演算は、例えば、対物レンズ５１による結像位置の演算結果、変倍レンズの焦点距離、主点間距離、物像距離の関係を表す２次式を、撮影倍率について解くことにより行うことができる。
【０１４０】
次に、部位特定部２２３５は、対物レンズ５１からの射出角を演算する。この演算は、例えば、撮影倍率の演算結果と、対物レンズ５１の後側主点から撮影絞りまでの距離と、対物レンズ５１の焦点距離とに基づいて行うことができる。このとき、像の検出面における像の高さが所定値となるように射出角を演算する。この所定値は、例えば−０．１ｍｍとする（負号は、光軸から下方向に像が形成されることを示す）。
【０１４１】
次に、部位特定部２２３５は、撮影絞りの絞り面における像の高さが上記の所定値となるような、対物レンズ５１への入射角を演算する。この演算は、例えば、対物レンズ５１からの射出角の演算結果と、入射瞳と撮影絞りの角倍率とに基づいて行うことができる。
【０１４２】
次に、プラチド測定により角膜の前面の曲率半径分布だけが求められる場合、部位特定部２２３５は、被検眼Ｅの角膜の後面の曲率半径を演算する。この演算は、例えば、プラチドリング投影系３を用いて測定された角膜曲率（角膜の前面の曲率）の測定値と、角膜の前面及び後面の曲率の比とに基づいて行うことができる。この曲率の比は、例えば、模型眼データの値を用いることができる。なお、ＯＣＴ光学系８を用いて角膜Ｃｒの前面又は後面の曲率（曲率半径）を測定した場合には、角膜の前面又は後面の曲率半径として、この測定値を用いることが可能である。
【０１４３】
次に、部位特定部２２３５は、眼軸長の測定値又は模型眼データを用いて被検眼Ｅの水晶体の後面から網膜面（眼底）までの距離を求める。
【０１４４】
次に、被検眼Ｅの眼球光学系の光学定数を決定する。被検眼Ｅの光学定数として、例えば、角膜の曲率（曲率半径）の測定値、屈折度数の測定値及び眼軸長の測定値を採用し、測定値が得られないものは模型眼データの値を採用する。また、水晶体後面から網膜（眼底）までの距離として、ＯＣＴ光学系８を用いて得られた測定値、又は角膜前面から水晶体後面までの距離の標準値（模型眼データの値）を眼軸長の測定値から引いた値を採用する。
【０１４５】
被検眼Ｅの光学定数が決定されたら、部位特定部２２３５は、網膜面（眼底）における像の高さを演算する。この演算は、たとえば、決定された光学定数と、対物レンズ５１への入射角の演算結果とを用いた光線追跡により行うことができる。
【０１４６】
最後に、部位特定部２２３５は、網膜面における像の高さの演算結果、検出面における像の高さの演算結果、リレーレンズによるリレー倍率（撮影光学系等の影響）などに基づいて、倍率を演算する。この倍率は、被検眼Ｅの眼球光学系による倍率と、撮影光学系による倍率とを考慮したものである。
【０１４７】
部位特定部２２３５は、求められた倍率から断層像における１画素の縦横それぞれの長さ（単位：マイクロメートル／画素）をサイズ情報として求める。例えば、部位特定部２２３５は、複数の倍率のそれぞれに１画素の縦横それぞれの長さをあらかじめ関連付けたテーブル情報を含み、当該テーブル情報を参照することにより、求められた倍率から眼底像における１画素の縦横それぞれの長さを求めることができる。なお、複数の離散的な倍率値に関するテーブル情報の代わりに、倍率値の連続的な変化と１画素のサイズの変化とを対応付けたグラフ情報を用いることも可能である。
【０１４８】
以上のようにサイズ情報が求められると、部位特定部２２３５は、特定された網膜の任意の２点間の距離をサイズ情報に基づいて実寸法に相当する距離に変換する。
【０１４９】
上記のように測定光を光線追跡して眼内の進行方向を特定し、特定された進行方向に沿ってＯＣＴデータから網膜の位置に対応する位置が特定される毎に、当該特定された位置について上記のサイズ情報の算出処理が行われる。
【０１５０】
以上のようにサイズ情報を用いることで、角膜Ｃｒの形状を反映して網膜のほぼ実際の形状を特定することができるようになる。
【０１５１】
（表示部２７０、操作部２８０）
表示部２７０は、ユーザインターフェイス部として、制御部２１０による制御を受けて情報を表示する。表示部２７０は、図２などに示す表示部１０を含む。
【０１５２】
操作部２８０は、ユーザインターフェイス部として、眼科装置を操作するために使用される。操作部２８０は、眼科装置に設けられた各種のハードウェアキー（ジョイスティック、ボタン、スイッチなど）を含む。また、操作部２８０は、タッチパネル式の表示画面１０ａに表示される各種のソフトウェアキー（ボタン、アイコン、メニューなど）を含んでもよい。
【０１５３】
表示部２７０及び操作部２８０の少なくとも一部が一体的に構成されていてもよい。その典型例として、タッチパネル式の表示画面１０ａがある。
【０１５４】
（通信部２９０）
通信部２９０は、図示しない外部装置と通信するための機能を有する。通信部２９０は、外部装置との接続形態に応じた通信インターフェイスを備える。外部装置の例として、レンズの光学特性を測定するための眼鏡レンズ測定装置がある。眼鏡レンズ測定装置は、被検者が装用する眼鏡レンズの度数などを測定し、この測定データを眼科装置１０００に入力する。また、外部装置は、任意の眼科装置、記録媒体から情報を読み取る装置（リーダ）や、記録媒体に情報を書き込む装置（ライタ）などでもよい。更に、外部装置は、病院情報システム（ＨＩＳ）サーバ、ＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）サーバ、医師端末、モバイル端末、個人端末、クラウドサーバなどでもよい。通信部２９０は、例えば処理部９に設けられていてもよい。
【０１５５】
処理部９（眼科情報処理装置４００）は、実施形態に係る「眼科情報処理装置」の一例である。ＯＣＴ光学系８（ＯＣＴ光学系３２０）は、実施形態に係る「ＯＣＴ計測部」の一例である。プラチドリング投影系３（プラチドリング投影系３１０）及び角膜情報生成部２２３１は、実施形態に係る「角膜形状測定部」の一例である。網膜は、実施形態に係る「眼内部位」の一例である。レフ測定光学系（レフ測定投射系６及びレフ測定受光系７）及び眼屈折力算出部２２３２は、実施形態に係る「眼屈折力測定部」の一例である。模型眼データ２１２Ａは、実施形態に係る「標準値データ」の一例である。
【０１５６】
＜動作例＞
実施形態に係る眼科装置１０００の動作について説明する。
【０１５７】
図８に、眼科装置１０００の動作の一例を示す。図８は、眼科装置１０００の動作例のフロー図を表す。記憶部２１２には、図８に示す処理を実現するためのコンピュータプログラムが記憶されている。主制御部２１１は、このコンピュータプログラムに従って動作することにより、図８に示す処理を実行する。
【０１５８】
（Ｓ１：固視標の呈示を開始）
図示しない顔受け部に被検者の顔が固定された状態で、検者が操作部２８０に対して所定の操作を行うことで、眼科装置１０００は、被検眼Ｅに対して固視標の呈示を開始する。
【０１５９】
具体的には、主制御部２１１は、固視投影系４を制御することにより、予め決められた固視標を表す固視標パターンを液晶パネル４１に表示させる。それにより、被検眼Ｅを所定の固視位置を注視させることができる。
【０１６０】
（Ｓ２：アライメント）
続いて、眼科装置１０００は、アライメントを実行する。
【０１６１】
具体的には、主制御部２１１は、Ｚアライメント光源１１やＸＹアライメント光源２１を点灯させる。また、主制御部２１１は、前眼部照明光源５０を点灯させる。処理部９は、撮像素子５９の撮像面上の前眼部像の撮像信号を取得し、表示部２７０に前眼部像を表示させる。その後、図２に示す光学系が被検眼Ｅの検査位置に移動される。検査位置とは、被検眼Ｅの検査を十分な精度内で行うことが可能な位置である。前述のアライメント（Ｚアライメント系１及びＸＹアライメント系２と前眼部観察系５とによるアライメント）を介して被検眼Ｅが検査位置に配置される。光学系の移動は、ユーザによる操作若しくは指示又は制御部２１０による指示にしたがって、制御部２１０によって実行される。すなわち、被検眼Ｅの検査位置への光学系の移動と、他覚測定を行うための準備とが行われる。
【０１６２】
また、主制御部２１１は、レフ測定光源６１と、合焦レンズ７４と、固視ユニット４０（液晶パネル４１）をそれぞれの光軸に沿って原点の位置（例えば、０Ｄに相当する位置）に移動させる。
【０１６３】
（Ｓ３：プラチド測定）
続いて、眼科装置１０００は、プラチド測定を実行する。
【０１６４】
具体的には、主制御部２１１は、プラチドリング光源３２を点灯させる。プラチドリング光源３２から光が出力されると、被検眼Ｅの角膜Ｃｒに角膜形状測定用の同心円状の複数のリング状光束が投射される。角膜情報生成部２２３１は、撮像素子５９により得られたプラチドリング像に対して演算処理を施すことにより、角膜曲率半径を算出し、算出された角膜曲率半径から角膜屈折力、角膜乱視度及び角膜乱視軸角度を算出する。制御部２１０では、算出された角膜屈折力などが記憶部２１２に記憶される。
【０１６５】
主制御部２１１からの指示、又は操作部２８０に対するユーザの操作若しくは指示により、眼科装置１０００の動作はステップＳ４に移行する。
【０１６６】
（Ｓ４：眼屈折力測定）
次に、眼科装置１０００は、眼屈折力測定を実行する。
【０１６７】
具体的には、主制御部２１１は、前述のように眼屈折力測定のためのリング状の測定パターン光束を被検眼Ｅに投射させる。被検眼Ｅからの測定パターン光束の戻り光に基づくリング像が撮像素子５９の撮像面に結像される。主制御部２１１は、撮像素子５９により検出された眼底Ｅｆからの戻り光に基づくリング像を取得できたか否かを判定する。例えば、主制御部２１１は、撮像素子５９により検出された戻り光に基づく像のエッジの位置（画素）を検出し、像の幅（外径と内径との差）が所定値以上であるか否かを判定する。或いは、主制御部２１１は、所定の高さ（リング径）以上の点（像）に基づいてリングを形成できるか否かを判定することにより、リング像を取得できたか否かを判定してもよい。
【０１６８】
リング像を取得できたと判定されたとき、眼屈折力算出部２２３２は、被検眼Ｅに投射された測定パターン光束の戻り光に基づくリング像を公知の手法で解析し、仮の球面度数Ｓ及び仮の乱視度数Ｃを求める。主制御部２１１は、求められた仮の球面度数Ｓ及び乱視度数Ｃに基づき、レフ測定光源６１、合焦レンズ７４、及び固視ユニット４０（液晶パネル４１）を等価球面度数（Ｓ＋Ｃ／２）の位置（仮の遠点に相当する位置）へ移動させる。
【０１６９】
主制御部２１１は、特定された等価球面度数（Ｓ＋Ｃ／２）の位置から固視ユニット４０（液晶パネル４１）を更に雲霧位置に移動させる。
【０１７０】
主制御部２１１は、本測定としてレフ測定投射系６及びレフ測定受光系７を制御することによりリング像を再び取得させる。主制御部２１１は、前述と同様に得られたリング像の解析結果と合焦レンズ７４の移動量から球面度数、乱視度数及び乱視軸角度を眼屈折力算出部２２３２に算出させる。
【０１７１】
また、眼屈折力算出部２２３２は、求められた球面度数及び乱視度数から被検眼Ｅの遠点に相当する位置（本測定により得られた遠点に相当する位置）を求める。主制御部２１１は、求められた遠点に相当する位置に液晶パネル４１を移動させる。制御部２１０では、合焦レンズ７４の位置や算出された球面度数などが記憶部２１２に記憶される。主制御部２１１からの指示、又は操作部２８０に対するユーザの操作若しくは指示により、眼科装置１０００の動作はステップＳ５に移行する。
【０１７２】
リング像を取得できないと判定されたとき、主制御部２１１は、強度屈折異常眼である可能性を考慮して、レフ測定光源６１及び合焦レンズ７４をあらかじめ設定したステップでマイナス度数側（例えば−１０Ｄ）、プラス度数側（例えば＋１０Ｄ）へ移動させる。主制御部２１１は、レフ測定受光系７を制御することにより各位置でリング像を検出させる。それでもリング像を取得できないと判定されたとき、主制御部２１１は、所定の測定エラー処理を実行する。このとき、眼科装置１０００の動作はステップＳ５に移行してもよい。制御部２１０では、レフ測定結果が得られなかったことを示す情報が記憶部２１２に記憶される。
【０１７３】
（Ｓ５：眼軸長測定）
続いて、眼科装置１０００は、眼軸長を測定するためのＯＣＴ計測を実行する。
【０１７４】
具体的には、主制御部２１１は、ＯＣＴ光源１０１を点灯させ、光スキャナー８８を制御することにより被検眼Ｅを測定光ＬＳでスキャンさせる。測定光ＬＳのスキャンにより得られた検出信号は、例えば、データ処理部２２３に送られる。眼内距離算出部２２３３は、取得された検出信号から角膜頂点に相当する位置と網膜に相当する位置とを特定し、これらの距離に基づいて眼軸長を算出する。いくつかの実施形態では、測定光ＬＳのスキャンにより得られた検出信号は、画像形成部２２２に送られる。画像形成部２２２は、得られた検出信号から、前眼部及び眼底Ｅｆが描出された被検眼のＢスキャン画像を形成する。眼内距離算出部２２３３は、画像形成部２２２により形成されたＢスキャン画像から角膜頂点に相当する位置と網膜に相当する位置とを特定し、これらの距離に基づいて眼軸長を算出する。
【０１７５】
眼内距離算出部２２３３は、眼軸長以外の前房深度、水晶体厚等の眼内距離を算出することが可能である。
【０１７６】
（Ｓ６：前眼部ＯＣＴ計測）
続いて、眼科装置１０００は、前眼部ＯＣＴ計測を実行する。いくつかの実施形態では、ステップＳ６は、ステップＳ５において実行される。
【０１７７】
いくつかの実施形態では、眼科装置１０００は、動作モードが前眼部ＯＣＴ計測モードに変更される。前眼部ＯＣＴ計測モードでは、被検眼Ｅと対物レンズ５１との間に前置レンズが配置されたり、ＯＣＴ光学系８におけるレンズの一部が光軸方向に前眼部ＯＣＴ計測モード用の位置に移動されたりする。
【０１７８】
その後、主制御部２１１は、ＯＣＴ光源１０１を点灯させ、光スキャナー８８を制御することにより被検眼Ｅの前眼部を測定光ＬＳでスキャンさせる。これにより、角膜の３次元のＯＣＴデータセットが取得される。
【０１７９】
いくつかの実施形態では、ステップＳ６において得られたＯＣＴデータセットから前眼部のＯＣＴ画像が形成され、表示部２７０に表示される。このとき、ステップＳ３又はステップＳ６において得られたデータに基づいて、前眼部のＯＣＴ画像を補正してよい。
【０１８０】
（Ｓ７：眼底ＯＣＴ計測）
続いて、眼科装置１０００は、眼底ＯＣＴ計測を実行する。
【０１８１】
いくつかの実施形態では、眼科装置１０００は、動作モードが眼底ＯＣＴ計測モードに変更される。眼底ＯＣＴ計測モードでは、被検眼Ｅと対物レンズ５１との間から前置レンズが退避されたり、ＯＣＴ光学系８におけるレンズの一部が光軸方向に眼底ＯＣＴ計測モード用の位置に移動されたりする。
【０１８２】
その後、主制御部２１１は、ＯＣＴ光源１０１を点灯させ、光スキャナー８８を制御することにより被検眼Ｅの眼底を測定光ＬＳでスキャンさせる。これにより、眼底の３次元のＯＣＴデータセットが取得される。
【０１８３】
続いて、主制御部２１１は、ステップＳ６において得られた前眼部のＯＣＴデータとステップＳ７において得られた眼底のＯＣＴデータとを用いてパラメータ算出部２２３４Ａに所定のパラメータを算出させる。その後、主制御部２１１は、上記のように眼球モデルをモデル生成部２２３４Ｂに生成させる。
【０１８４】
（Ｓ８：網膜の位置を特定）
次に、主制御部２１１は、ステップＳ７の眼底ＯＣＴ計測において角膜Ｃｒの複数の位置に入射する測定光のそれぞれについて、眼内の進行方向を特定し、特定された進行方向に沿って網膜に相当する位置を部位特定部２２３５に特定させる。部位特定部２２３５は、ステップＳ７の眼底ＯＣＴ計測における光スキャナー８８のスキャン角度とステップＳ７において得られた眼球モデルとに基づいて、角膜Ｃｒの複数の入射位置のそれぞれに入射する測定光を光線追跡することにより測定光の進行方向を特定する。続いて、部位特定部２２３５は、測定光のそれぞれについて、各測定光より収集されたＯＣＴデータに基づいて進行方向における被検眼Ｅの網膜に相当する位置を特定する。
【０１８５】
（Ｓ９：網膜の形状を特定）
続いて、部位特定部２２３５は、ステップＳ８において特定された複数の網膜の位置のそれぞれについて、模型眼データ２１２Ａと、ステップＳ４において用いて取得された被検眼Ｅの眼屈折力と、ステップＳ５において算出された眼軸長とに基づいて、上記のように実空間距離に換算して網膜のほぼ実寸法の形状として特定する。それにより、網膜のより詳細な２次元的又は３次元的な形状が特定可能になる。以上で、眼科装置１０００の動作は終了となる（エンド）。
【０１８６】
なお、上記の実施形態では、プラチドリング投影系３を用いて角膜Ｃｒの形状を測定する場合について説明したが、実施形態に係る構成はこれに限定されるものではない。例えば、プラチドリング投影系３に代えてケラト視標投影系が設けられてもよい。この場合、ケラトリング光源から光が出力され、被検眼Ｅの角膜Ｃｒに角膜形状測定用のリング状光束が投射される。データ処理部２２３は、撮像素子５９によって取得された像に対して演算処理を施すことにより、角膜曲率半径を算出し、算出された角膜曲率半径から角膜屈折力、角膜乱視度及び角膜乱視軸角度を算出することができる。
【０１８７】
以上説明したように、実施形態によれば、被検眼Ｅの角膜Ｃｒの形状を反映させて網膜の位置や形状を特定するようにしたので、断層像から網膜の形状に異常があると判断された場合に、角膜に原因があるのか、真に網膜に原因があるのかを判別することが可能になる。それにより、病的近視への進行の予防に寄与できるようになる。
【０１８８】
［作用・効果］
実施形態に係る眼科情報処理装置、眼科装置、及び眼科装置の制御方法の作用及び効果について説明する。
【０１８９】
いくつかの実施形態に係る眼科装置（１０００）は、ＯＣＴ計測部（ＯＣＴ光学系８、３２０）と、角膜形状測定部（プラチドリング投影系（３、３１０）及び角膜情報生成部２２３１）と、眼球モデル生成部（２２３４）と、部位特定部（２２３５）と、を含む。ＯＣＴ計測部は、光スキャナー（８８）を含み、光源（ＯＣＴ光源１０１）からの光（Ｌ０）を参照光（ＬＲ）と測定光（ＬＳ）とに分割し、測定光を光スキャナーにより偏向して被検眼（Ｅ）に投射し、被検眼からの測定光の戻り光と参照光との干渉光（ＬＣ）を検出することにより被検眼のデータを収集する。角膜形状測定部は、被検眼の角膜（Ｃｒ）に対して測定パターンを投射し、その戻り光を検出し、検出された戻り光の像（プラチドリング像）に基づいて角膜における曲率半径分布を求める。眼球モデル生成部は、角膜における曲率半径分布を用いて眼球モデルを生成する。部位特定部は、角膜における複数の入射位置のそれぞれに入射する測定光を光スキャナーによるスキャン角度（θ）と眼球モデルとに基づいて光線追跡することにより測定光の進行方向を特定し、当該測定光により収集されたデータに基づいて進行方向における被検眼の眼内部位に対応する位置を特定する。
【０１９０】
このような構成によれば、角膜における曲率半径分布を求め、角膜における複数の位置に入射する測定光を、入射位置に対応する曲率半径を考慮して光線追跡して眼内の進行方向を特定し、当該測定光により収集されたデータに基づいて進行方向における被検眼の眼内部位に対応する位置を特定するようにしたので、角膜の形状を反映させて眼内部位の形状を特定することができるようになる。それにより、眼内部位の形状に異常があると判断される場合に、角膜に原因があるのか、真に眼内部位に原因があるのかを判別することが可能になる。
【０１９１】
いくつかの実施形態に係る眼科装置では、角膜形状測定部は、角膜に対して同心円状の複数のリング状光束を投射する。
【０１９２】
このような構成によれば、公知の角膜形状測定光学系により角膜の曲率半径分布を容易に取得することができるので、簡素な構成で、角膜の形状を反映させて眼内部位の形状を特定することができる眼科装置を提供することが可能になる。
【０１９３】
いくつかの実施形態に係る眼科装置では、被検眼に対して光を投射し、その戻り光を検出し、検出された戻り光の像に基づいて被検眼の眼屈折力を求める眼屈折力測定部（レフ測定光学系（レフ測定投射系６及びレフ測定受光系７）及び眼屈折力算出部２２３２）と、ＯＣＴ計測部により収集された上記のデータに基づいて被検眼の眼軸長を求める眼内距離算出部（２２３３）と、を含み、部位特定部は、眼の光学特性を表す標準値データ（模型眼データ２１２Ａ）と、眼屈折力と、眼軸長とに基づいて、眼内部位の形状を特定する。
【０１９４】
このような構成によれば、特定された眼内部位の領域を撮影倍率に基づき実空間距離に換算して眼内部位のほぼ実寸法の形状を特定することができるので、眼内部位の形状の異常の有無を高い確度で判別することができる上に、眼内部位の形状を詳細に観察することができるようになる。
【０１９５】
いくつかの実施形態に係る眼科装置では、眼球モデル生成部は、ＯＣＴ計測部により収集された被検眼のデータに基づいて、被検眼の一部又は全体のサイズを表すサイズパラメータ、被検眼の部位の形状を表す形状パラメータ、及び被検眼の部位の光学的機能を表す光学的パラメータのうち少なくとも１つを含むパラメータを求め、パラメータと、標準値データと、眼屈折力と、眼軸長と、曲率半径分布とに基づいて眼球モデルを生成する。
【０１９６】
このような構成によれば、公知の模型眼データを流用して、被検眼の眼球光学特性に合わせた眼球モデルを生成することができるので、眼内部位の位置等をより高精度に特定することができるようになる。
【０１９７】
いくつかの実施形態に係る眼科装置では、眼内部位は、網膜である。
【０１９８】
このような構成によれば、角膜の形状を反映させて網膜の形状を特定することができるようになる。それにより、網膜の形状に異常があると判断される場合に、角膜に原因があるのか、真に網膜に原因があるのかを判別することが可能になる。
【０１９９】
いくつかの実施形態に係る眼科情報処理装置（４００、処理部９）は、被検眼（Ｅ）に対して光コヒーレンストモグラフィを実行することにより収集されたデータに基づいて少なくとも被検眼の眼内部位の位置を特定する。眼科情報処理装置は、眼球モデル生成部（２２３４）と、部位特定部（２２３５）とを含む。眼球モデル生成部は、被検眼の角膜（Ｃｒ）における曲率半径分布を用いて眼球モデルを生成する。部位特定部は、角膜における複数の入射位置のそれぞれに入射する測定光を測定光を偏向する光スキャナー（８８）のスキャン角度と眼球モデルとに基づいて光線追跡することにより測定光の進行方向を特定し、当該測定光により収集されたデータに基づいて進行方向における眼内部位に対応する位置を特定する。
【０２００】
このような構成によれば、角膜における曲率半径分布を考慮して、角膜における複数の位置に入射する測定光を光線追跡して進行方向を特定し、当該測定光により収集されたデータに基づいて進行方向における被検眼の眼内部位に対応する位置を特定するようにしたので、角膜の形状を反映させて眼内部位の形状を特定することができるようになる。それにより、眼内部位の形状に異常があると判断される場合に、角膜に原因があるのか、真に眼内部位に原因があるのかを判別することが可能になる。
【０２０１】
いくつかの実施形態に係る眼科情報処理装置では、部位特定部は、眼の光学特性を表す標準値データ（模型眼データ２１２Ａ）と、被検眼の眼屈折力と、被検眼の眼軸長とに基づいて、眼内部位の形状を特定する。
【０２０２】
このような構成によれば、特定された眼内部位の領域を撮影倍率に基づき実空間距離に換算して眼内部位のほぼ実寸法の形状を特定することができるので、眼内部位の形状の異常の有無を高い確度で判別することができる上に、眼内部位の形状を詳細に観察することができるようになる。
【０２０３】
いくつかの実施形態に係る眼科情報処理装置では、眼球モデル生成部は、収集されたデータに基づいて、被検眼の一部又は全体のサイズを表すサイズパラメータ、被検眼の部位の形状を表す形状パラメータ、及び被検眼の部位の光学的機能を表す光学的パラメータのうち少なくとも１つを含むパラメータを求め、パラメータと、標準値データと、眼屈折力と、眼軸長と、曲率半径分布とに基づいて眼球モデルを生成する。
【０２０４】
このような構成によれば、公知の模型眼データを流用して、被検眼の眼球光学特性に合わせた眼球モデルを生成することができるので、より高精度に眼内部位の位置等を特定することができるようになる。
【０２０５】
いくつかの実施形態に係る眼科情報処理装置では、眼内部位は、網膜である。
【０２０６】
このような構成によれば、角膜の形状を反映させて網膜の形状を特定することができるようになる。それにより、網膜の形状に異常があると判断される場合に、角膜に原因があるのか、真に網膜に原因があるのかを判別することが可能になる。
【０２０７】
いくつかの実施形態に係る眼科情報処理方法は、被検眼（Ｅ）に対して光コヒーレンストモグラフィを実行することにより収集されたデータに基づいて被検眼の眼内部位の形状を特定する。眼科情報処理方法は、眼球モデル生成ステップと、部位特定ステップとを含む。眼球モデル生成ステップは、被検眼の角膜（Ｃｒ）における曲率半径分布を用いて眼球モデルを生成する。部位特定ステップは、角膜における複数の入射位置のそれぞれに入射する測定光を測定光を偏向する光スキャナー（８８）のスキャン角度と眼球モデルとに基づいて光線追跡することにより測定光の進行方向を特定し、当該測定光により収集されたデータに基づいて進行方向における眼内部位に対応する位置を特定する。
【０２０８】
このような方法によれば、角膜における曲率半径分布を考慮して、角膜における複数の位置に入射する測定光を光線追跡して進行方向を特定し、当該測定光により収集されたデータに基づいて進行方向における被検眼の眼内部位に対応する位置を特定するようにしたので、角膜の形状を反映させて眼内部位の形状を特定することができるようになる。それにより、眼内部位の形状に異常があると判断される場合に、角膜に原因があるのか、真に眼内部位に原因があるのかを判別することが可能になる。
【０２０９】
いくつかの実施形態に係る眼科情報処理方法では、部位特定ステップは、眼の光学特性を表す標準値データ（模型眼データ２１２Ａ）と、被検眼の眼屈折力と、被検眼の眼軸長とに基づいて、眼内部位の形状を特定する。
【０２１０】
このような方法によれば、公知の模型眼データを流用して、被検眼の眼球光学特性に合わせた眼球モデルを生成することができるので、より高精度に眼内部位の位置等を特定することができるようになる。
【０２１１】
＜その他＞
以上に示された実施形態は、この発明を実施するための一例に過ぎない。この発明を実施しようとする者は、この発明の要旨の範囲内において任意の変形、省略、追加等を施すことが可能である。
【０２１２】
いくつかの実施形態では、上記の眼科情報処理方法をコンピュータに実行させるためのプログラムが提供される。このようなプログラムを、コンピュータによって読み取り可能な任意の記録媒体に記憶させることができる。この記録媒体としては、たとえば、半導体メモリ、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。また、インターネットやＬＡＮ等のネットワークを通じてこのプログラムを送受信することも可能である。
【符号の説明】
【０２１３】
１  Ｚアライメント系
２  ＸＹアライメント系
３、３１０  プラチドリング投影系
４  固視投影系
５  前眼部観察系
６  レフ測定投射系
７  レフ測定受光系
８、３２０  ＯＣＴ光学系
９  処理部
２１０  制御部
２１１  主制御部
２２３  データ処理部
２２３１  角膜情報生成部
２２３２  眼屈折力算出部
２２３３  眼内距離算出部
２２３４  眼球モデル生成部
２２３４Ａ  パラメータ算出部
２２３４Ｂ  モデル生成部
２２３５  部位特定部
３００  検査光学系
４００  眼科情報処理装置
１０００  眼科装置
【図１】
2020048695.tif 000003
【図２】
2020048695.tif 000004
【図３】
2020048695.tif 000005
【図４】
2020048695.tif 000006
【図５】
2020048695.tif 000007
【図６】
2020048695.tif 000008
【図７】
2020048695.tif 000009
【図８】
2020048695.tif 000010